(57)【要約】【課題】操作性のよい画像交換機能を実現することのできる電子機器およびプログラムを提供することを課題とする。【解決手段】画像表示処理プログラム２０２は、無線通信制御ユーティリティプログラム２０１が接続処理後に於いて通信相手機器より画像を取得する都度、その取得した画像を表示画面３１０上に画像フレーム３１１を付けずに表示し、その画像表示領域をポインタ３００が指し示すことにより当該画像を画像フレーム３１１で囲って表示し、ポインタ３００が画像表示領域より外れると画像フレーム３１１を表示画像から外す。【選択図】    図３
2005149241.tif 000002
【特許請求の範囲】
【請求項１】
画像を取得する画像取得手段と、
前記画像取得手段が取得した画像を表示画面上に表示する表示手段と、
前記表示手段の表示画面上にポインタを表示するポインタ表示手段と、
前記表示手段の表示画面上で前記ポインタが前記画像の表示領域上にあるか否かを検出するポインタ検出手段と、
前記ポインタ検出手段が、前記ポインタが前記画像の表示領域上にあることを検出したとき、操作ボタンを含むフレーム部を前記画像の周囲に表示し、前記ポインタが前記画像の表示領域上から外れたことを検出したとき前記画像の周囲から前記フレーム部を消去するフレーム表示手段と
を具備したことを特徴とする電子機器。
【請求項２】
前記画像取得手段は、画像を交換する通信プロトコルを利用して画像を随時取得する手段を有し、
前記表示手段は、前記画像取得手段が取得した画像をその都度、所定の表示形態で前記表示画面上に表示する手段を有し、
前記フレーム表示手段は、前記表示画面上に複数の画像が表示されているとき、前記ポインタが指し示す表示画像に対してのみ当該画像の周囲に前記フレーム部を表示し、前記ポインタが前記表示画像のいずれの領域上も指し示さないとき前記表示画面上から前記フレーム部を消去する手段を有する請求項１記載の電子機器。
【請求項３】
前記画像を前記ポインタにより前記表示画面上で移動操作したとき、その移動操作された画像と前記表示画面の端の一辺若しくは二辺との間の距離が所定の距離以内になったことを検知し、当該検知時に於いて前記表示画面の一辺若しくは二辺に対向する前記画像の縁を前記表示画面の一辺若しくは二辺に一致させて前記画像を前記表示画面の辺に吸着させる画像の貼り付け位置補正手段をさらに具備することを特徴とする請求項１記載の電子機器。
【請求項４】
前記画像が前記表示画面に表示された状態において、他の画像が前記表示画面に表示されたとき、前記各画面間の距離が所定の距離以内になったことを検知し、当該検知時に於いて前記他の画像の縁を前記表示画面の辺に吸着された画像の縁に一致させて、前記他の画像を前記表示画面の辺に吸着された画像に吸着させる画像間の位置補正手段をさらに具備することを特徴とする請求項３記載の電子機器。
【請求項５】
通信手段により取得した画像をポインタの操作が可能な表示画面上に表示する機能を実現するコンピュータに、
前記ポインタが前記画像の表示領域上にあるか否かを検出する機能と、
前記ポインタが前記画像の表示領域上にあることを検出したとき、操作ボタンを含むフレーム部を前記画像の周囲に表示し、前記ポインタが前記画像の表示領域上から外れたことを検出したとき前記画像の周囲から前記フレーム部を消去する機能と
を実現させるためのプログラム。
【請求項６】
通信手段により取得した画像をポインタの操作が可能な表示画面上に表示する機能を実現するコンピュータに、
前記画像を前記ポインタにより前記表示画面上で移動操作したとき、その移動操作された画像と前記表示画面の端の一辺若しくは二辺との間の距離が所定の距離以内になったことを検知する機能と、
前記検知時に於いて前記表示画面の一辺若しくは二辺に対向する前記画像の縁を前記表示画面の一辺若しくは二辺に一致させて前記画像を前記表示画面の辺に吸着させる機能と
を実現させるためのプログラム。
【発明の詳細な説明】
【技術分野】
【０００１】
本発明は、機器間で画像を交換する無線通信システムに適用して好適な電子機器およびプログラムに関する。
【背景技術】
【０００２】
デジタルカメラやカメラ付携帯電話の急速な普及に伴い、携帯機器間で画像を交換する機会が増えている。低消費電力を特徴とするＢｌｕｅｔｏｏｔｈＴＭは、これら携帯機器で手軽に画像交換をするための有効な通信手段の一つである。ＢｌｕｅｔｏｏｔｈＴＭで画像を送受信する方法は、Basic Imaging Profile（ＢＩＰ）として規格化され、カメラを遠隔制御する方法はその中でRemote Camera Feature（ＲＣＦ）として規定されている。ＲＣＦでは、画像の取得要求を行う機器をＩｎｉｔｉａｔｏｒ、デジタルカメラのように画像をキャプチャーする能力を備えた機器をＲｅｓｐｏｎｄｅｒと定義し、以下の機能を備える。  
モニタリング画像取得機能：Get Monitoring Image(0)  
シャッター制御機能：Get Monitoring Image(1)  
撮影画像の取得機能：Get Image  
Ｉｎｉｔｉａｔｏｒは、Ｒｅｓｐｏｎｄｅｒが捕らえているモニタリング画像をサムネイルサイズの静止画像として随時取得（Get MonitoringImage(0)）し、任意のタイミングでシャッター制御信号を送信（Get MonitoringImage(1)）し、撮影された画像を希望するサイズで取得（Get Image)することが可能である。
【特許文献１】特開２００２−３２５０８１
【発明の開示】
【発明が解決しようとする課題】
【０００３】
上述したような無線伝送方式による無線ネットワークに於いて機器間で画像を交換するシステムを構築する場合に、受け取った画像を表示画面上で操作可能に表示する際、通常は当該画像を操作ボタンを含んだフレーム内に表示している。このような表示を行うことで取り込んだ画像の各種操作を容易に行うことができる。しかしながら画像の交換時に於いて、その画像交換に伴う表示画面上の占有領域が拡がることで、他の画面操作に支障をきたすという問題がある。また画像操作以外の画面操作時に誤って画像フレームの操作ボタンを操作する不具合が生じるという問題がある。
【０００４】
本発明は上記実情に鑑みなされたもので、操作性のよい画像交換機能を実現することのできる電子機器およびプログラムを提供することを目的とする。
【課題を解決するための手段】
【０００５】
本発明は、画像を取得する画像取得手段と、前記画像取得手段が取得した画像を表示画面上に表示する表示手段と、前記表示手段の表示画面上にポインタを表示するポインタ表示手段と、前記表示手段の表示画面上で前記ポインタが前記画像の表示領域上にあるか否かを検出するポインタ検出手段と、前記ポインタ検出手段が、前記ポインタが前記画像の表示領域上にあることを検出したとき、操作ボタンを含むフレーム部を前記画像の周囲に表示し、前記ポインタが前記画像の表示領域上から外れたことを検出したとき前記画像の周囲から前記フレーム部を消去するフレーム表示手段とを具備した電子機器を特徴とする。
【０００６】
また、本発明は、通信手段により取得した画像をポインタの操作が可能な表示画面上に表示する機能を実現するコンピュータに、前記ポインタが前記画像の表示領域上にあるか否かを検出する機能と、前記ポインタが前記画像の表示領域上にあることを検出したとき、操作ボタンを含むフレーム部を前記画像の周囲に表示し、前記ポインタが前記画像の表示領域上から外れたことを検出したとき前記画像の周囲から前記フレーム部を消去する機能とを実現させるためのプログラムを特徴とする。
【発明の効果】
【０００７】
操作性のよい画像交換機能が実現できる。
【発明を実施するための最良の形態】
【０００８】
以下、図面を参照して本発明の実施形態を説明する。  
先ず図１乃至図４を参照して本発明の第１実施形態を説明する。この第１実施形態では、表示画面上で、ポインタが表示画像の領域内にあるときは当該画像に操作ボタンを含むフレームを付随させ、ポインタが表示画像の領域外にあるときは当該画像からフレームを外して画像のみを表示する機能を実現している。
【０００９】
図１には本発明の一実施形態に係る電子機器の構成の一例が示されている。本発明に係る電子機器は無線通信機能を有する、例えばＰＤＡ（Personal Digital Assistant）、ノートブックタイプのポータブルパーソナルコンピュータ等により実現される。図１はポータブルパーソナルコンピュータにより実現した例を示している。
【００１０】
図１は本コンピュータ１のディスプレイユニットを開いた状態における外観斜視図である。本コンピュータ１は、コンピュータ本体１１と、ディスプレイユニット１２とから構成されている。ディスプレイユニット１２は、コンピュータ本体１１に対して開放位置と閉塞位置との間を回動自在に取り付けられている。ディスプレイユニット１２には表示パネルを構成するＬＣＤ（Liquid Crystal Display）１３が組み込まれており、そのＬＣＤ１３はディスプレイユニット１２のほぼ中央に位置されている。
【００１１】
このディスプレイユニット１２の画面表示部（ＬＣＤ１３の表示画面上）にデスクトップ画面３１０が表示され、そのデスクトップ画面（以下単に表示画面と称す）３１０上に、画像を交換する通信プロトコルを利用して取得した画像３１３，３１５、ポインタ３００、操作ボタンを含んだ画像フレーム３１１等が表示される。この画像フレーム３１１、および画像３１３，３１５は、後述する画像表示処理プログラム（図２の符号２０２参照）により、表示および表示位置等が制御される。尚、ポインタ３００の表示機能並びに操作機能については通常の機器に既に実装されているため、ここではその説明を省略する。
【００１２】
コンピュータ本体１１は薄い箱形の筐体を有しており、その上面には上述したポインティングデバイス１４の他に、キーボード１５が配置されている。さらに、コンピュータ本体１１には無線通信デバイス１０１が内蔵されている。
【００１３】
この無線通信デバイス１０１は無線通信を実行するデバイスであり、例えばＢｌｕｅｔｏｏｔｈＴＭなどの近距離無線通信の規格で規定された無線通信を実行するように設計されている。無線通信デバイス１０１の無線通信動作は、コンピュータ１内で実行されるプログラムである無線通信制御ユーティリティプログラム（図２の符号２０１参照）によって制御される。この無線通信制御ユーティリティプログラムは、局発見機能、機器間接続機能、画像の取得機能等を有する。
【００１４】
図２には、本コンピュータ１のシステム構成が示されている。本コンピュータ１には、図示のように、ＣＰＵ２１、ノースブリッジ２２、主メモリ２３、表示コントローラ２４、サウスブリッジ２５、ハードディスクドライブ（ＨＤＤ）２６、および無線通信デバイス１０１などが内蔵されている。
【００１５】
ＣＰＵ２１は本コンピュータ１の動作を制御するために設けられたプロセッサであり、ハードディスクドライブ（ＨＤＤ）２６から主メモリ２３にロードされたオペレーティングシステム（ＯＳ）および各種アプリケーションプログラムを実行する。この実施形態では、無線通信制御ユーティリティプログラム２０１に加えて、画像表示処理プログラム２０２がハードディスクドライブ（ＨＤＤ）２６から主メモリ２３にロードされ、ＣＰＵ２１によってその処理が実行される。画像表示処理プログラム２０２は、無線通信制御ユーティリティプログラム２０１に従う処理で接続された機器から取得した画像をディスプレイユニット１２の画面表示部に表示する機能、ポインタ３００の操作に応じて画像フレーム３１１の表示／消去、表示画像の移動制御する機能等を実現する。この際の画像フレーム３１１を含めた表示機能については後述する。
【００１６】
ハードディスクドライブ（ＨＤＤ）２６には、この実施形態の処理に係る情報として、上述した無線通信制御ユーティリティプログラム２０１、画像表示処理プログラム２０２等が格納されている。このハードディスクドライブ２６に格納された無線通信制御ユーティリティプログラム２０１、および画像表示処理プログラム２０２は主メモリ２３にロードされ、ＣＰＵ２１により実行される。この際、画像表示処理プログラム２０２は、無線通信制御ユーティリティプログラム２０１が接続処理後に於いて通信相手機器より画像を取得する都度、その取得した画像を表示画面３１０上に画像フレーム３１１を付けずに表示し、その画像表示領域をポインタ３００が指し示すことにより当該画像を画像フレーム３１１で囲って表示し、ポインタ３００が画像表示領域より外れると画像フレーム３１１を表示画像から外す。この際の処理の詳細は後述する。
【００１７】
表示コントローラ２４は本コンピュータのディスプレイモニタとして使用されるＬＣＤ１３を制御する。この実施形態に於いては、表示画面３１０上に図４（ａ）に示すような画像フレーム３１１をもたない画像３１３と、同図（ｂ）に示すような画像フレーム３１１をもつ画像３１５とを、ユーザのポインタ操作により選択的に表示する。
【００１８】
ノースブリッジ２２はＣＰＵ２１のローカルバスとＰＣＩバスとの間を双方向で接続するブリッジデバイスである。サウスブリッジ２５はＰＣＩバスとＩＳＡバスとの間を双方向で接続するブリッジデバイスである。ＩＳＡバスには、上述のキーボード（ＫＢ）１５などが接続されている。サウスブリッジ２５には、ＵＳＢ（Universal Serial Bus）コントローラも内蔵されている。このＵＳＢコントローラには無線通信デバイス１０１が接続される。
【００１９】
無線通信デバイス１０１は、無線通信制御ユーティリティプログラム２０１の制御の下に、接続相手となる周辺に存在する機器の発見、接続、データ転送等を無線通信により行う。この無線通信デバイス１０１はＵＳＢコントローラを介してＣＰＵ２１から入力されるコマンドに応じて、無線信号の送受信をアンテナ（ＡＮＴ）を介して実行する。無線通信デバイス１０１は、ＲＦ部とベースバンド部とを含む。ＲＦ部は、中間周波数からＲＦ周波数へのアップコンバート、およびＲＦ周波数から中間周波数へのダウンコンバートなどを行う。ベースバンド部は所定の無線通信プロトコルに従って、送信データの変調、および受信データの復調を行う。
【００２０】
図３には、上記図１および図２に示す機能要素により実現される画像表示装置３０の構成例を示している。この画像表示装置３０は、画像取得部３１、画像表示部３２、フレーム表示部３３、ポインタ検出部３４、通信制御部３５等を有して構成される。上記画像取得部３１、画像表示部３２、フレーム表示部３３、およびポインタ検出部３４は、それぞれ上記図２示す画像表示処理プログラム２０２の処理ルーチンにより実現される。通信制御部３５は、同じく図２に示す無線通信制御ユーティリティプログラム２０１により実現される。
【００２１】
通信制御部３５は、例えば上述したＲＣＦのＩｎｉｔｉａｔｏｒ機能を利用して接続相手機器から画像を取得する。  
画像取得部３１は通信制御部３５から画像を取得する。  
画像表示部３２は画像取得部３１が取得した画像を表示画面３１０上に表示する。  
ポインタ検出部３４は表示画面３１０上でポインタ３００が表示画像の領域上にあるか否かを検出する。  
フレーム表示部３３はポインタ検出部３４の検出結果に従いポインタ３００が表示画像の領域上にあるときは当該表示画像に画像フレーム３１１を付け、ポインタ３００が表示画像の領域上から外れたとき画像フレーム３１１を消去する。
【００２２】
尚、ポインタ３００の位置、および表示画面３１０上の位置については、図３に示すように、表示画面３１０をＸＹ座標で管理することで、ポインタ検出部３４はポインタ３００の位置を、またフレーム表示部３３は表示画像３１３の位置およびフレームを表示すべき適切な位置を検出することができる。
【００２３】
図４（ａ），（ｂ）に上記画像取得部３１が取得した画像の表示例を示している。図４（ａ）は画像フレーム３１１をもたない画像３１３、同図（ｂ）は画像フレーム３１１をもつ画像３１５を示している。上記画像取得部３１が取得した画像を画像表示部３２が表示画面３１０上に表示した際は、当該画像が図４（ａ）に示すような画像フレーム３１１の無い画像３１３として表示される。ポインタ検出部３４にてポインタ３００が画像３１３の表示領域内にあることを検出したとき、フレーム表示部３３は当該画像３１３を画像フレーム３１１で囲み、画像フレーム３１１をもつ画像３１５として表示する。
【００２４】
このように、ポインタ３００が表示画像の領域内にあるときのみ、その画像に画像フレーム３１１が設けて表示することから、取得画像のモニタリング表示時に於いては画像フレーム３１１が外された画像コンテンツのみの表示であり、従って画像のモニタリング表示時に於ける表示画面３１０上の画面を他の画面操作に有効に活用できる。また、その画面操作に必要のない不要なボタン（画像フレーム３１１の操作ボタン）が誤って操作される不具合を解消できる。
【００２５】
次に、図５乃至図９を参照して本発明の第２実施形態を説明する。
【００２６】
図５には、上記図１および図２に示す機能要素により実現される本発明の第２実施形態による画像表示装置３０Ｂの構成例を示している。この画像表示装置３０Ｂには、上記図３に示す第１実施形態の画像表示装置３０の各構成要素に加えて、画像表示位置検知部３７、表示位置自動補正部３８が設けられる。この画像表示位置検知部３７、および表示位置自動補正部３８の各機能は画像表示処理プログラム２０２により実現される。
【００２７】
この画像表示位置検知部３７、および表示位置自動補正部３８により、ユーザの細かな移動操作を必要とせずに画像取得部３１が取得した画像を表示画面３１０の端に合わせて移動させ、他の画面操作に邪魔にならないように表示画面３１０の端に詰めて表示する機能を実現している。
【００２８】
画像表示位置検知部３７は、表示画像３１３の表示領域とディスプレイユニット１２の表示画面領域との相対位置関係を監視し、表示画像３１３の表示領域が、表示画面３１０のエッジ（辺）に所定距離以内に近付いたことを検知すると、表示位置自動補正部３８にその旨を通知して表示位置自動補正部３８を起動する。
【００２９】
表示位置自動補正部３８は、画像表示位置検知部３７から通知された表示画像３１３の表示領域と表示画面３１０上の相対位置情報をもとに、表示画面３１０の一辺若しくは二辺に対向する表示画像３１３の縁を一致させて表示（吸着）させる処理を行う。以下にこの処理を図面を参照しながら説明する。
【００３０】
図６には、表示画像４０１を表示画面３１０の左上へ移動させる場合の状態遷移を示している。  
図７には、表示画像４０１を表示画面３１０の左上へ吸着した場合の状態遷移を示している。  
図８には、表示画像４０１−１を表示画像４０１−２の下部へ移動させる場合の状態遷移を示している。  
図９には、表示画像４０１−１が表示画像４０１−２の下部に吸着された場合の状態遷移を示している。
【００３１】
図６および図７は、表示画像４０１をユーザがポインタ３００を操作して表示画面３１０上で移動させる場合の例を示している。例えば、図６では、中央付近にあった表示画像４０１をドラッグ操作で表示画面３１０上の左上へ移動させている様子を示している。
【００３２】
この表示画面３１０上の表示画像４０１の移動は画像表示位置検知部３７によって検出される。この際、移動の完了はドラッグ操作の解除で検出することができる。画像表示位置検知部３７は、移動が完了した表示画像４０１の位置情報を表示位置自動補正部３８に通知する。
【００３３】
表示位置自動補正部３８は、表示画像４０１の位置を調べ、四辺のうちの一辺乃至二辺の位置が、表示画面３１０上の枠（辺）から所定の距離以下になっている場合には、その所定の距離以下となった表示画面３１０の枠（辺）に吸着するように、表示画像４０１の表示位置を補正する。
【００３４】
図６および図７は表示画像４０１の上辺と左辺が所定値以下の距離となった場合に、吸着機能が機能した様子を示している。
【００３５】
例えば、表示画像４０１の表示画面３１０上のＸＹ座標の単位としてピクセルを用い、表示画像４０１の横をＷピクセル、縦をＨピクセルとし、表示画像４０１の左上の位置を（ｘ１，ｙ１）として管理するとする。表示画面３１０の大きさを［０≦ｘ≦Ｘｍａｘ、０≦ｙ≦Ｙｍａｘ］と定義する。また、吸着機能を実行する際の距離である閾値をａピクセルとする。以下に吸着機能を行う際の条件を示す。
【００３６】
表示画面３１０の上辺へ吸着する条件：  −ａ  ＜  ｘ１  ＜  ａ  
表示画面３１０の左辺へ吸着する条件：  −ａ  ＜  ｙ１  ＜  ａ  
表示画面３１０の下辺へ吸着する条件：  Ｘｍａｘ  −  ａ  ＜  ｘ１  ＋  Ｈ  ＜  Ｘｍａｘ  ＋  ａ  
表示画面３１０の右辺へ吸着する条件：  Ｙｍａｘ  −  ａ  ＜  ｙ１  ＋  Ｗ  ＜  Ｙｍａｘ  ＋  ａ
図６および図７は表示画像４０１を表示画面３１０の枠（辺）に吸着する場合を示したが、次に、図８および図９を参照して、表示画面４０１が複数表示されている場合を想定し、表示画面４０１−１を表示画面４０１−２に吸着させる手段を説明する。
【００３７】
画像表示位置検知部３７は表示画像４０１−１，４０１−２に関しての移動位置を記憶し管理して、移動が完了した表示画像の位置情報を表示位置自動補正部３８に通知する。
【００３８】
表示位置自動補正部３８は、移動が完了した表示画像の位置が通知されると、他の表示画像の位置情報を画像表示位置検知部３７から取得し、移動が完了した表示画像の四辺の位置と、移動していない表示画像の四辺の位置とを比較する。例えば、表示画面４０１−１を移動させた場合には、移動が完了した表示画像４０１−１の位置を、移動していない表示画像４０１−２の位置と比較する。表示位置自動補正部３８は、表示画像４０１−１の四辺のうちの一辺の位置が、表示画像４０１−２の四辺のうちの一辺の位置から所定の距離以下になっている場合には、表示画像４０１−１の位置を所定値以下となった表示画像４０１−２の一辺に吸着するように表示位置を補正する。図８および図９は表示画像４０１−１の上辺が表示画像４０１−２の下辺の位置から一定値の距離以下となった場合に、吸着機能が機能した様子を示している。
【００３９】
表示画像４０１−１の横をＷ１ピクセル、縦をＨ１ピクセルとし、表示画像４０１−１の左上の位置を（ｘ１，ｙ１）、また表示画像４０１−２の横をＷ２ピクセル、縦をＨ２ピクセルとし、表示画像４０１−２の左上の位置を（ｘ２，ｙ２）として管理するものとする。以下に吸着機能を行う際の条件を示す。
【００４０】
表示画像４０１−２の下辺に表示画像４０１−１の上辺が吸着する条件：ｘ２＋Ｈ２−ａ＜ｘ１＜ｘ２＋Ｈ２＋ａ  
表示画像４０１−２の上辺に表示画像４０１−１の下辺が吸着する条件：ｘ２−ａ＜ｘ１＋Ｈ１＜ｘ２＋ａ  
表示画像４０１−２の右辺に表示画像４０１−１の左辺が吸着する条件：ｙ２＋Ｗ２−ａ＜ｙ１＜ｙ２＋Ｗ２＋ａ
表示画像４０１−２の左辺に表示画像４０１−１の右辺が吸着する条件：ｙ２−ａ＜ｙ１＋Ｗ１＜ｙ２＋ａ
このような画像のみを表示して、その表示画像を吸着する機能をもつことで、画像表示のために隠れてしまう表示画面３１０上の領域が最低限に抑えられ、サイズが限られたデスクトップの画面を有効に使うことができる。さらに、本発明では画像表示領域を自動補正することが可能であり、ユーザが画像表示位置を微調整する際の操作が容易になる。
【００４１】
さらにデスクトップの画面上で別の作業を行う際に、モニタリング画像のみを邪魔にならない場所に置くことができることから、例えばモニタリング画像を監視カメラとして利用する場合には、必要最低限の情報のみを表示することが可能となり、不必要な操作ボタンが表示されないことから、限られた大きさのデスクトップ画面を有効に利用でき別作業を効率的に行うことができる。
【００４２】
また、モニタリング画像を提供する機器を操作する場合、例えば、シャッター操作を行う場合等、必要なときにのみ操作ボタンを表示させることが可能であり、普段操作ボタンを操作しない際には、操作ボタンを非表示とすることで、デスクトップ画面上での別作業を効率的に行うことができる。
【００４３】
また、モニタリング画像の位置をデスクトップ上で整理する場合、例えば、なるべく邪魔にならないように、デスクトップ画面の端にモニタリング画像を配置する場合に、ユーザはデスクトップ画面の端の付近にモニタリング画像を移動させるだけで自動的に吸着されるため、ユーザがモニタリング画像の配置を微調整する手間を削減することができる。
【００４４】
また、モニタリング画像のデスクトップ上に複数の画像を表示している場合、それらの位置を整理すべく、モニタリング画面同士を並べて配置するような場合、ユーザは一つのモニタリング画面を別のモニタリング画面の付近に移動させるだけで自動的に吸着されるため、ユーザがモニタリング画像の配置を微調整する手間を削減することができる。
【図面の簡単な説明】
【００４５】
【図１】本発明の第１実施形態に係るコンピュータの外観を示す図。
【図２】本発明の第１実施形態に係るコンピュータの構成を示すブロック図。
【図３】本発明の第１実施形態に係る画像表示装置の構成を示すブロック図。
【図４】本発明の第１実施形態に係る表示画像の表示状態例を示す図。
【図５】本発明の第２実施形態に係る画像表示装置の構成を示すブロック図。
【図６】本発明の第２実施形態に係る表示画像の移動処理動作を説明するための状態遷移を示す図。
【図７】本発明の第２実施形態に係る表示画像の移動処理動作を説明するための状態遷移を示す図。
【図８】本発明の第２実施形態に係る表示画像の移動処理動作を説明するための状態遷移を示す図。
【図９】本発明の第２実施形態に係る表示画像の移動処理動作を説明するための状態遷移を示す図。
【符号の説明】
【００４６】
１…コンピュータ、１１…コンピュータ本体、１２…ディスプレイユニット、１３…ＬＣＤ、２３…主メモリ、２６…ハードディスクドライブ（ＨＤＤ）、３０，３０Ｂ…画像表示装置、３１…画像取得部、３２…画像表示部、３３…フレーム表示部、３４…ポインタ検出部、３５…通信制御部、３７…画像表示位置検知部、３８…表示位置自動補正部、１０１…無線通信デバイス、２０１…無線通信制御ユーティリティプログラム、２０２…画像表示処理プログラム、３００…ポインタ、３１０，４０１…表示画面（デスクトップ画面）、３１１…画像フレーム、３１３，３１５…画像。
【図１】
2005149241.tif 000003
【図２】
2005149241.tif 000004
【図３】
2005149241.tif 000005
【図４】
2005149241.tif 000006
【図５】
2005149241.tif 000007
【図６】
2005149241.tif 000008
【図７】
2005149241.tif 000009
【図８】
2005149241.tif 000010
【図９】
2005149241.tif 000011